(57)【特許請求の範囲】
【請求項１】
一対の内蓋（Ｃ３）と一対の外蓋（Ｃ４）からなる包装箱の封緘具であって、当該封緘具は、略平行に配置された平板状の上押え（Ｄ１）と平板状の下押え（Ｄ３）と、前記上押え（Ｄ１）と前記下押え（Ｄ３）とを連結する支柱（Ｄ２）とから成り、前記支柱（Ｄ２）の一端は前記上押え（Ｄ１）と接続され、前記支柱（Ｄ２）の他端は前記下押え（Ｄ３）の下方に抜けるとともに、前記上押え（Ｄ１）と前記下押え（Ｄ３）との間隔を調整するバネ部材（Ｄ４）に接続した、ことを特徴とする封緘具。
【請求項２】
前記支柱（Ｄ２）の他端は前記下押え（Ｄ３）の下方に抜けるとともに、前記下押え（Ｄ３）に向けて鋭角に折り返しバネ部材（Ｄ４）とした請求項１記載の封緘具。
【請求項３】
前記支柱（Ｄ２）の一端を略直角に折り曲げ前記上押え（Ｄ１）を兼ねた請求項１、又は２記載の封緘具。
【発明の詳細な説明】
【技術分野】
【０００１】
本発明は、一対の内蓋と一対の外蓋とを有して成る段ボール箱等、包装箱の封緘具に関す。
尚、本発明は、支柱を介して、下押えと上押えとが連結されて成る封緘具に関す。
【背景技術】
【０００２】
従来の封緘具、例えば、特許文献１のものは、下押えと上押えとの間隔が固定した状態に連結されており、一定の厚みの外蓋をもつ包装箱には使用できるが、外蓋の厚みに違いがあれば使用できない、あるいは使用に適さないものである。
【０００３】
包装箱は、以下、段ボール箱を念頭にして説明する。
【０００４】
段ボール箱の大きさはまちまちで、外蓋の厚みもそれぞれ違う。それぞれの厚みに合う封緘具を手許に用意しておくことは難しい。従来の封緘具は、不便であり実用性に欠ける。
【先行技術文献】
【特許文献】
【０００５】
【特許文献１】特開平１１−５９６６３号
【発明の概要】
【発明が解決しようとする課題】
【０００６】
本発明で解決する主課題は、「外蓋の厚みに多少の違いがあっても、対応できる封緘具を得ること」である。云うならば、実用的な封緘具を得ることである。
【０００７】
更に、「荷扱いにも適うものにすること」を課題に加える。
従来の封緘具は、上押えが大きく、その存在自体が邪魔になり、他の箱を上積みするときに突っ掛かり易い、あるいは引っ掛かり易い、また上積みした箱がグラついて安定しないなどの問題がある。
【課題を解決するための手段】
【０００８】
「外蓋の厚みに多少の違いがあっても対応できる封緘具を得る」とする主課題を解決するため、下押えと上押えとの間に介在する部分の支柱の丈幅が調整されるバネ機能をもつものとした。
即ち、外蓋の厚みに多少の違いがあっても、調整されるバネ機能をもつものとした。
【０００９】
「荷扱いに適うための手段」としては、上押えの大きさを出来るだけ小さなものにすることに着眼し、従来の封緘具がもつ機能のうち、一対の外蓋が下方に（箱の内側に）落ち込まないよう押えるための機能を、一対の内蓋の存在に依存する、即ち、一対の内蓋の受け支えに依存する方法をとるものとした。
【発明の効果】
【００１０】
バネ機能をもたせることで、「外蓋の厚みに多少の違いがあっても使用できるもの」になり、実用に適した封緘具を得ることができた。
【００１１】
一定の厚みであるはずの外蓋でも、紙質の違い、あるいは紙の歪み、あるいは湿気等により、封緘具の挟み付けが必ずしもスムーズにできることではない。きつい状態であったり、緩い状態であったりもする。本封緘具は、然様に微妙な問題にも対応できるものになった。
【００１２】
一対の外蓋が下方に落ち込まないよう押えるための機能を、一対の内蓋の受け支えに依存する方法をとったことで、上押えを小さなものにすることができ、荷扱いに適うもの、あるいは荷扱いの支障を軽微にするものになった。
【図面の簡単な説明】
【００１３】
【図１】本発明の封緘具である。
【図２】図１の封緘具である。
【図３】図１の封緘具について操作過程を示した図である。
【図４】図１に使用したバネ部材である。
【図５】バネ機能を説明する図である。
【発明を実施するための形態】
【００１４】
実施例を説明する上で、図を見たままの状態で、上、下、縦、横、左、右、向こう、手前、内、外、裏、表の意味を使い分ける。
段ボール箱は、幅面と長さ面がある。主に幅面を見る方向から見たかたちで表現する。
本書では、一対の外蓋を左側と右側、即ち、左右に見たかたちで表現する。また、一対の外蓋の合せ目を縦筋に見たかたちで表現する。
【００１５】
封緘状態における封緘具を、段ボール箱の幅面(Ｃ１)を見る方向から見た側を長さ側と云い、同方向から見る左右に延びる幅を長さ幅と云う。長さ側の側面を長さ側側面と云う。
封緘状態に於ける封緘具を、段ボール箱の長さ面(Ｃ２)を見る方向から見た側を幅側と云う。幅側の側面を幅側側面と云う。
封緘状態にない封緘具を見る表現に於いても、封緘状態にある封緘具に見立てて、同じく、長さ側、長さ幅、長さ側側面、幅側、幅側側面と云う。
【００１６】
図１を説明する。
図１は、バネ機能を付加した本発明の封緘具である。
図１は、下押えと上押えとをバネ部材（図４参照）を以って連結した封緘具である。
図１(１)は、斜視図である。図１(２)は、幅側側面を見た（Ａ方向から見た）側面図
である。図１(３)は、長さ側側面を見た（Ｂ方向から見た）側面図である。
因みに、図１(１)に示した封緘具は、下押えを円形にしたものであること、そして下押えに対して上押えが回転する形態に成したものであるから、上押えの回転とともに幅側側面、長さ側側面の向く方向は変わる。即ち、上押えが、図に示した位置に静止している状態に於いて、Ａ方向から見る側が幅側側面であり、Ｂ方向から見る側が長さ側側面である、と云うことである。
【００１７】
図２を説明する。
図２は、図１に示した封緘具の裏側を見た斜視図である。
バネ部材の下辺の在り様について示した図である。
図１(１)に示した封緘具は、下押えに対し上押えが支柱（縦辺）を軸にして回転するかたちに連結したものである。下押えと上押えとを連結するバネ部材の下辺(Ｄ４３)の先端は、下押えに接しているだけであって、下押えに固定しているものではない。
因みに、上押えの回転と共に下押えも回転するものであっても良い。即ち、バネ部材の下辺(Ｄ４３)の先端を下押えに固定するものであっても良い。
【００１８】
図３を説明する。
図３(１)(３)は、図１に示した封緘具を以って、段ボール箱を封緘する操作の過程を示したものである。
図３(２)は図３(１)の状態、図３(４)は図３(３)の状態を、段ボール箱の幅面(Ｃ１)を見る方向から見た部分図である。
図３(１)は、片方（右方）の外蓋に取り付けた様子を示した図である。この状態に於いては、下押えだけが相手方（左方）に差し出されるものである。
差し出された下押えの上に、もう片方（左方）の外蓋を折り重ね、一対の外蓋を平らな状態にたたみ合わせた上で、上押えを回転させ、一対の外蓋を連結して封緘状態にする。
上押えを回転させたとき、バネ部材の下辺は下押えの裏側をスライドする。もしくは、下押えも上押えの回転に連動して回転する。
図３(３)は、封緘状態を示した図である、即ち、上押えを回転させ、上押えを一対の外蓋の上に掛け渡した状態を示した図である。
【００１９】
因みに、下押えの形状が円形ではなく、長手に延びる形状の場合であれば、即ち、幅側側面の幅（左右に延びる幅）よりも、長さ側側面の長さ幅の方を長いかたちに成したものの場合であれば、図３(３)は、「上押えを回転させ、上押えを一対の外蓋の上に掛け渡し、同時に下押えの長手方向（長さ幅が延びる方向）を一対の外蓋の合せ目筋（縦筋）に交叉する方向に向ける」、とする操作によって成した状態を示す図でもある。
図３(５)については、後段で説明する。
【００２０】
図４を説明する。
図４は、図１に示した封緘具に使用したバネ部材ある。
図４(１)は、斜視図である。図４(２)は、側面図である。図４(３)は、平面図である。図４(４)は、正面図である。
バネ部材は、１本の線材を折り曲げて成したものである。実施例では、＃１２（2.6〜2.5ミリ径）の金属線を使用し、側面から見るかたちとして、図４(２)に示すように上辺(Ｄ４１)、縦辺（Ｄ４２）、下辺(Ｄ４３)の概ね３辺で成るものとした。
上辺は、上押えと連結する部分である。縦辺は、支柱を兼ねる部分である。下辺は、下押えを支持する部分であると同時にバネを成す部分である。
【００２１】
図４に示したバネ部材は、下辺(Ｄ４３)に左右にくねるかたちを作った。このくねりは、バネを生み易く、あるいはバネを働き易くするため、あるいはバネを柔らかくするためである。
尚、下辺(Ｄ４３)の先端（下押えに接する部分)は、バネ部材が平衡を保つかたち、同時に、下押えの裏側面をスライドするかたちに成したものである。
【００２２】
図５を説明する
図５は、図１(２)の透視図である、即ち、支柱を兼ねたバネ部材を以って、上押えと下押えとを連結した様子を示す図である。
下押え(Ｄ３)の下側に張り出した部分が、バネとなって働く部分である。
外蓋に挟み付けたとき、上押え(Ｄ１)と下押え(Ｄ３)との間隔(Ｗ１)が押し広げられる、即ち、下押えと上押えとの間に介在する部分の丈幅(Ｗ１)が延び、その分、下押えの下方に突き出た部分の丈幅(Ｗ２)が短くなるかたちでバネが働く。
【００２３】
本封緘具は、図３で説明したように、先ず、片方の外蓋に取り付け、次いで一対の外蓋をたたみ合わせた後、上押えを回転させて封緘状態を得るものである。
即ち、付け外しに於いて、回転操作を伴うものである。上押えを回転させたとき、上押えとともにバネの働く方向も変わることが求められる。
先ず、片方の外蓋に取り付けた段階では、バネ機能は片方の外蓋に働き、封緘状態にあるときは、バネ機能は一対の外蓋の両方に働くことが求められる。
【００２４】
本封緘具は、封緘する操作に於いて図３(１)に示したように、先ず、片方の外蓋に取り付ける、このときバネ機能は、図３(２)に見るかたちで取り付けた側の外蓋に集中して働く。開封したときは、図３(２)に見るかたちで片方の外蓋に取り付いたまま居残る。このとき、バネ機能は居残った側の外蓋に集中して働くものである。
上押えを回転させて封緘状態にしたときには、図３(４)に見るようにバネ機能は一対の外蓋の両方に働くものである。
【００２５】
本発明は、「支柱を兼ねるバネ部材」を介して、下押えと上押えとを連結するものとしたことである。
バネ部材は、側面から見るかたちに於いて、支柱を兼ねる縦辺の左方または右方の片方に向いた挟み口を成すものにした。
このかたちは、片方の外蓋に取り付いた状態にあるときは、片方の外蓋に集中的にバネが働き、一対の外蓋を封緘している状態にあるときは、一対の外蓋の両方にバネが働く、即ち、上押えを回転させる操作を伴う封緘具の特性に適うかたちとして、方向をもった挟み口を成したバネ部材を以って、下押えと上押えとを連結するものである。
【００２６】
本書では、使用していないときの状態として、図１(２)(３)に示すように、下押えと上押えとが一定の間隔をとったかたちで表現しているが、バネ部材の縦辺は、下押えを上下に通うかたちで取り付けていること、また、バネ部材の下辺は、下押えに固定していないことから、下押えと上押えとの間隔は、必ずしも一定の間隔を保っているものではなく、下押えは遊び（動きの余裕）をもっている。
このことによって、封緘する際の挟み付けがし易く便利に使用できる、即ち、図３(１)の操作に於いて便利である。
【００２７】
以下、バネ機能、あるいはバネ部材について補足説明をする。
【００２８】
云うまでもないが、本発明で云うバネ機能は、挟み口が押し広げられる作用によって生ずる応力あるいは反発力を以って、自発的あるいは自動的に調整する機能である。
【００２９】
本書では、一例として、図４(２)に示したように側面から見るかたちに於いて、上辺、縦辺、下辺の概ね３辺を有して成るバネ部材を説明した。
図４に示すバネ部材は、バネの働きを良くするためのかたちとして、下辺について左右に迂曲するかたちを作っているものであるが、螺旋状に渦巻いたかたちをつくるなど、任意に設定するバネであって良い。
また、下押えの径を大きく取る場合であれば、下辺に迂曲するかたちや渦巻いたかたちを作るまでもなく、斜め真っ直ぐに延びるものであっても良い。
因みに、図４に示したバネ部材は、図１に示した封緘具のかたちに対応して成した一例である。
【００３０】
バネ部材は、封緘具に組み付けた状態に於いて縦辺や下辺が、過剰に下方に出っ張らないかたちを取ることが望ましい。
そのかたちとして、図４に示すように下辺のバネ機能を平たく迂曲するかたちにすると良い。下押えの下方に出っ張る部分は、段ボール箱の中に入っているものを損傷させる恐れがあるので、出っ張りを覆うなどの配慮をするのも良い。
【００３１】
バネ部材は、一対の外蓋が浮き上がらないよう安定した状態に連結するに足るバネの強さ、あるいは付け外しする上でのバネの柔らかさ、あるいはどの程度の厚み（外蓋の厚み）の違いに対応するものとするかなどを考慮して成すことが肝要である。
【００３２】
図１に示した封緘具に見る上押えは、バネ部材の上辺に上押えとする板状部材を組み付けて成したものであるが、バネ部材の上辺を平たく折り曲げて、即ち、面を成すかたちに折り曲げて、例えば、図３に示した下辺のように、左右に迂曲するかたちに折り曲げるなどして、「バネ部材の上辺が上押えを兼ねる」ものにしても良い。
【００３３】
バネ部材について、殊に配慮すべき点について説明する。
挟み口は、やや押し広げられるものの、全体の体勢が崩れることなくバネが働くことが肝要である。
バネは、下辺の「しなり」で対応できるものにすることが好ましい。
そのためのかたちとして、下辺を「適度にしなり易く」あるいは「バネとして働き易く」するためのかたちとして、図４(１)(３)に見るように、下辺に迂曲するかたちを成すなどの措置を取ると良い。
【００３４】
バネ部材は、挟み付けた状態に於いて、縦辺が反り曲がってしまうことのないよう、あるいは下辺、上辺に折り分けた折り曲がりが戻ってしまうことのないよう、あるいは上押えを回転させる操作をしたとき、縦辺がねじれを起こしてしまうことのないよう、使用する材料、あるいは素材に配慮することが求められる。
【００３５】
実施例では、バネ部材の素材として＃１２（2.6〜2.5ミリ径）の金属線を使用した。外蓋の厚みの違いが１〜３ミリ程度であれば対応できるものとなった。
バネ部材に使用する材料、材質、太さなどは、任意に決めて良い。
【００３６】
以上に、「外蓋の厚みに多少の違いがあっても対応できる封緘具を得る」、とする主課題の解決手段を説明した。
【００３７】
以下に、「荷扱いに適うものにするため」の解決手段を説明する。
【００３８】
本書で示した封緘具は、図３(４)のかたちに見るように、もしも、内蓋が存在しない、即ち、内蓋の受け支えが無いと仮定した状態に於いて、封緘具あるいは外蓋が、上方から下押しする作用(Ｐ)を受けたとき、図３(５)に見るように、押されるまま下方に（箱の内側に）落ち込んでしまう形態を成すものである。
即ち、図３(４)に見るように、下押え(Ｄ３)については、一対の外蓋が上方に浮き上がらないよう押えるに足る長さ幅（以下、長い長さ幅とも云う）をもつが、上押え(Ｄ１)については、一対の外蓋が下方に（箱の内側に）落ち込まないよう押えるには足りない長さ幅（以下、短い長さ幅とも云う）を成すと云うものである。
云いかえれば、長い長さ幅の下押えと、短い長さ幅の上押えとで成す「奥行きの浅い挟み口」を成すものである。
本書で示した封緘具は、一対の外蓋が下方に落ち込まないよう押える機能は、一対の内蓋の存在に依存する、即ち、内蓋の受け支えに依存する、とした方法をとったものである。
【００３９】
この方法をとることによって、上押えの長さ幅を「短い長さ幅」にすることができる、即ち、上押えを小さくすることができ、封緘した段ボール箱の上に他の箱を上積みする場合に、上押えの存在自体（の出っ張り）が引っ掛かる、あるいは突っ掛かる、あるいは上積みした箱が安定しないなど、荷扱いする上での支障を軽微にすることができるものにした。
【００４０】
下押えを「長い長さ幅」にすることによって、封緘具を内蓋に絡ませることなく封緘できるものとなり、段ボール箱の開口部の中央寄りの位置、即ち、一対の内蓋が向い合う間隔の内に取り付けることでの封緘ができるものにした。
段ボール箱の外蓋は、緩やかに撓む（たわむ）性質をもっている。時間の経過による撓みもある。上積される他の箱の荷重によって生ずる撓みもある。
本発明は上押えを小さく、薄くして、その撓みの中に上押えの存在が埋没することによって、荷扱いの邪魔にならないよう、あるいは支障にならないよう、最も撓みが大きくなる開口部の中央位置に取り付け得るもの、としているものでもある。
【００４１】
奥行きの浅い挟み口を以って封緘する方法をとることによって、奥行きの深い挟み口を以って局所的にロックする従来の封緘方法と比べて、段ボール箱の外蓋にとっても、封緘具にとっても無理が掛からないものにした。
例えて云うならば、過分に重い箱が上積みされたときには、図３(５)に示すように、封緘具は外蓋から逃げる（外れる）ことができる。外蓋も損傷する（あるいは折れる）ことなく封緘具から逃げる（外れる）ことができる、とするかたちを取ったものである。
【００４２】
本封緘具は、一対の外蓋が下方に落ち込まないよう押える機能について、一対の内蓋の受け支えに依存するものとしていることから、実際には、一対の外蓋が、図３(５)に示す如くに落ち込むことはないが、封緘具と外蓋との関係に於いて、図３(５)に示すような遊び（動きの余裕）をもつものであることを説明するものである。
【００４３】
以下は、全体的な補足事項である。
【００４４】
本発明の支柱を兼ねるバネ部材を以って連結する方法は、支柱を介して下押えと上押えとを連結する多様な形態の封緘具に適用あるいは応用できるものである。
尚、側面から見るかたちに於いて、上辺、縦辺、下辺の３辺で成るかたちに固執する必要はない。板バネを使用するなどのものであっても良い。即ち、バネ部材の形態は、任意に決めて良い。
【００４５】
本発明は、段ボール箱を主たる対象として、段ボール箱を念頭に説明した内容になっているが、段ボール箱以外の箱にも適用あるいは使用できるものである。
本書では、それらの箱を包装箱と総称した。
【００４６】
本封緘具は、全体に於いて材料、材質について限定するものではない。尚、必要な機能を損なわない限り、形状、輪郭、デザイン、大きさ、形態など任意に決めて良い。
【００４７】
本発明は、全体の図を通して発明の全容を説明しているものであって、個々の図で説明する技術内容によって、請求項に記載する技術内容は限定されるものではない。
【００４８】
本発明の封緘具は、バネ機能をもったこと、荷扱いに適う形態に成したことのそれぞれが、相乗して実用性を増すものになった。
「バネ機能をもつ」とする発明、並びに「荷扱いに適う」とする発明のそれぞれは、従来の封緘具（例えば、特許文献１）にも適用できるものである。
因みに、荷扱いに適うための発明は、その用途によって必ずしも効果が得られると云うものではないが、バネ機能をもつとする発明を適用するだけであっても、従来の封緘具を実用に値するものにすることができる。
【産業上の利用可能性】
【００４９】
本封緘具は、外蓋の厚みに多少の違いがあっても対応できる、更には、荷扱いにも適うものにしたことで、物品の保管、管理、物品の移送など家庭用から業務用まで便利に使用することができる。
【符号の説明】
【００５０】
包装箱
Ｃ１    幅面
Ｃ２    長さ面
Ｃ３    内蓋
Ｃ４    外蓋
封緘具
Ｄ１    上押え
Ｄ２    支柱
Ｄ３    下押え
Ｄ４    バネ部材
バネ部材
Ｄ４１  上辺
Ｄ４２  縦辺
Ｄ４３  下辺
【要約】
【課題】本発明の主課題は、包装箱の外蓋の厚みに多少の違いがあっても対応できる封緘具を得ることである、更に、「荷扱いに適うものにすること」を課題に加えた。
【解決手段】主課題の解決手段は、支柱を兼ねるバネ部材を介して、下押えと上押えとを連結するものとした。バネ部材は、下押えと上押えとの間に介在する部分の支柱の丈幅が、調整されるバネ機能をもつものとした。
「荷扱いに適うための手段」としては、上押えの大きさを出来るだけ小さなものにすることに着眼し、一対の外蓋が下方に（箱の内側に）落ち込まないよう押える上押えの機能を、一対の内蓋の存在に依存する、即ち、一対の内蓋の受け支えに依存する方法をとるものとした。
【選択図】  図１【図１】
0005737665.tif 000002
【図２】
0005737665.tif 000003
【図３】
0005737665.tif 000004
【図４】
0005737665.tif 000005
【図５】
0005737665.tif 000006